(57)【要約】【課題】視覚によって確認されるセグメントの状態を容易に入力することができるうえに、蓄積された点検結果を分かり易い状態で出力させることが可能なセグメント管理システムを提供する。【解決手段】シールドトンネル１のリング状覆工部２の構成部材となる円弧板状のセグメント２１の状態を管理するセグメント管理システムである。  そして、視覚によって確認されるセグメントの状態を入力するための入力タブレット３と、入力された状態データを記憶させる記憶部４２と、複数のセグメントが連続して表示された領域に記憶部に記憶された状態データを重ねて表示させるモニタ４３とを備えている。  また、入力タブレット３では、入力するセグメントの位置が視覚による対比によって特定できるうえに、平面的に表示されるセグメントの向きが特定された入力画面となる。【選択図】図１
2018009314.tif 000002
【特許請求の範囲】
【請求項１】
シールドトンネルのリング状覆工部の構成部材となる円弧板状のセグメントの状態を管理するセグメント管理システムであって、
視覚によって確認される前記セグメントの状態を入力するための携帯入力端末と、
前記携帯入力端末によって入力された状態データを記憶させる記憶手段と、
複数のセグメントが連続して表示された領域に前記記憶手段に記憶された前記状態データを重ねて表示させる出力手段とを備え、
前記携帯入力端末では、入力するセグメントの位置が視覚による対比によって特定できるうえに、平面的に表示されるセグメントの向きが特定された入力画面となることを特徴とするセグメント管理システム。
【請求項２】
前記携帯入力端末は、特定されたセグメントに関連付けて撮影画像の記録が行える撮像部を有していることを特徴とする請求項１に記載のセグメント管理システム。
【請求項３】
前記出力手段では、表示されたセグメントに関連付けて前記撮影画像の出力が行えることを特徴とする請求項２に記載のセグメント管理システム。
【発明の詳細な説明】
【技術分野】
【０００１】
本発明は、シールドトンネルのセグメントの状態を管理するためのセグメント管理システムに関するものである。
【背景技術】
【０００２】
シールドトンネルを構築する際には、シールド機によって掘削された掘削面に対して、複数の円弧板状のセグメントを配置してリング状覆工部を設けることになる（特許文献１，２など参照）。
【０００３】
ここで、特許文献１に開示されているように、多数のセグメントが使用されることになるため、セグメントの製造データや施工データを管理するセグメント情報管理システムが必要になる。
【０００４】
特許文献１に開示されたセグメント情報管理システムでは、使用するすべてのセグメントに識別情報部を設けておき、シールドトンネルに設置される毎にセグメントの識別情報部を読み取らせ、その識別情報部に関連付けて各種データを管理していくことになる。
【０００５】
また、特許文献２には、不適合なセグメントが混在していた場合に、不適合とした検査結果を反映させて、セグメントの再発注までが行えるセグメント受入れ管理システムが開示されている。
【先行技術文献】
【特許文献】
【０００６】
【特許文献１】特開２０１０−１９６４４４号公報
【特許文献２】特開２０１０−１９６４４５号公報
【発明の概要】
【発明が解決しようとする課題】
【０００７】
しかしながらシールドトンネルにセグメントを設置した後にも、ひび割れや漏水などの状態を管理していく必要がある。そのような目視による点検結果は、点検者がその都度野帳等に記録していくことになるので、その結果をまとめて見ることができるシステムが望まれる。
【０００８】
特にシールドトンネルは、多数のセグメントによってリング状覆工部が構成されているため、周方向や前後方向のセグメント間の連続性が個々のセグメントの状態を記録した野帳だけではわかりにくい。
【０００９】
そこで、本発明は、視覚によって確認されるセグメントの状態を容易に入力することができるうえに、蓄積された点検結果を分かり易い状態で出力させることが可能なセグメント管理システムを提供することを目的としている。
【課題を解決するための手段】
【００１０】
前記目的を達成するために、本発明のセグメント管理システムは、シールドトンネルのリング状覆工部の構成部材となる円弧板状のセグメントの状態を管理するセグメント管理システムであって、視覚によって確認される前記セグメントの状態を入力するための携帯入力端末と、前記携帯入力端末によって入力された状態データを記憶させる記憶手段と、複数のセグメントが連続して表示された領域に前記記憶手段に記憶された前記状態データを重ねて表示させる出力手段とを備え、前記携帯入力端末では、入力するセグメントの位置が視覚による対比によって特定できるうえに、平面的に表示されるセグメントの向きが特定された入力画面となることを特徴とする。
【００１１】
ここで、前記携帯入力端末は、特定されたセグメントに関連付けて撮影画像の記録が行える撮像部を有している構成とすることができる。また、前記出力手段では、表示されたセグメントに関連付けて前記撮影画像の出力が行える構成とすることができる。
【発明の効果】
【００１２】
このように構成された本発明の計測管理システムは、視覚によって確認されるセグメントの状態を入力するための携帯入力端末と、その入力された状態データを複数のセグメントが連続して表示された領域に重ねて表示させる出力手段とを備えている。
【００１３】
さらに、携帯入力端末では、入力するセグメントの位置が視覚による対比によって特定できるうえに、平面的に表示されるセグメントの向きが特定された入力画面となる。
【００１４】
このため、セグメントの状態を容易に入力することができるうえに、蓄積された点検結果を複数のセグメントが並んだ分かり易い状態で出力させることができる。
【００１５】
また、特定されたセグメントに関連付けて撮影画像の記録が行える撮像部を携帯入力端末が有していれば、点検時に着目した箇所を撮影しておくだけで、状態データと一緒に管理することができる。
【００１６】
さらに、出力手段に表示されたセグメントに関連付けて撮影画像が出力される構成であれば、状態データの詳細を写真で確認できるうえに、写真付きの報告書を作成することも容易にできる。
【図面の簡単な説明】
【００１７】
【図１】本実施の形態のセグメント管理システムの構成を模式的に示した説明図である。
【図２】シールドトンネルのリング状覆工部の構成を説明する斜視図である。
【図３】入力タブレットのメイン画面の例示である。
【図４】入力タブレットのリング選択画面の例示である。
【図５】入力タブレットのセグメント選択画面の例示である。
【図６】入力タブレットのリング情報画面の例示である。
【図７】入力タブレットのスケッチ画面の例示である。
【図８】一覧表表示領域とセグメント表示領域と画像出力領域とが表示された出力画面の例示である。
【図９】セグメント表示領域に複数のリングが表示された出力画面の例示である。
【発明を実施するための形態】
【００１８】
以下、本発明の実施の形態について図面を参照して説明する。図１は、本実施の形態のセグメント管理システムの全体構成を説明する模式図である。また、図２は、セグメント管理システムによって状態が管理されるシールドトンネル１のリング状覆工部２の構成を説明する斜視図である。
【００１９】
シールドトンネル１のリング状覆工部２は、図１に示すように、前面に円盤状のカッタを備えたシールド機１１によって掘削された円筒状の掘削面を保護するために設けられる。
【００２０】
リング状覆工部２は、図２に示すように、複数の環状のリング２２Ａ，２２，・・・をシールドトンネル１の延伸方向に連続させることによって円筒状に形成される。そして、各リング２２Ａ（２２）は、多数の円弧板状のセグメント２１Ａ−２１Ｆ（２１，・・・）によって構成される。
【００２１】
例えば、図２の先頭のリング２２Ａは、６体の円弧板状のセグメント２１Ａ，２１Ｂ，２１Ｃ，２１Ｄ，２１Ｅ，２１Ｆによって環状に形成される。ここで、シールドトンネル１の最頂部を天端１ａ、最下部を下端１ｂ、天端１ａと下端１ｂの間の右側の中央点を右端１ｃ、天端１ａと下端１ｂの間の左側の中央点を左端１ｄとする。
【００２２】
本実施の形態のセグメント管理システムは、リング状覆工部２の構成部材として配置されたセグメント２１Ａ−２１Ｆ，２１，・・・（以下では、セグメントを代表して説明する場合は、符号２１を使用する。）の状態を、シールドトンネル１の内空から視覚によって検査（点検）する際に使用されるシステムである。
【００２３】
ここで、セグメント２１の状態とは、ひび割れ（クラック）、漏水、損傷（割れ欠け）など、セグメント２１の表面に現れる点検者Ｍの視覚によって確認可能な状態を指す。
【００２４】
セグメント管理システムは、図１に示すように、点検者Ｍに携行させる携帯入力端末としての入力タブレット３と、地上の事務所Ｂや管理センターなどに設置される本体部４とによって主に構成される。
【００２５】
すなわち、点検者Ｍは、点検の際には入力タブレット３を持って立坑１２からシールドトンネル１の内部に入り、点検したセグメント２１の状態を入力タブレット３に入力する。入力したデータは、Ｗｉ−Ｆｉなどの無線を介してシールドトンネル１内のルーターなどのネットワーク通信機器４６に転送し、ネットワーク通信機器４６からは有線にて事務所Ｂの本体部４に転送させる。
【００２６】
一方、入力タブレット３の近くにネットワーク通信機器４６がない場合は、入力タブレット３を事務所Ｂに持ち帰って、入力タブレット３に記憶させたデータを本体部４に転送させる。
【００２７】
本体部４は、パーソナルコンピュータ等によって構成されるＰＣ部４１と、データ等を記憶させる記憶手段としての記憶部４２と、出力手段となるモニタ４３と、入力手段となるキーボード４４及びマウス４５とによって主に構成される。
【００２８】
記憶部４２には、ハードディスクなどの磁気記憶媒体、ＵＳＢメモリやＳＤカードなどのフラッシュメモリ、ＣＤ−ＲＯＭなどの光学記憶媒体などの公知の記憶媒体が使用できる。
【００２９】
モニタ４３には、液晶ディスプレイ、有機ＥＬディスプレイ、ブラウン管ディスプレイなどの公知の表示装置が使用できる。また、プリンタを出力手段とすることもできる。
【００３０】
一方、入力タブレット３は、図３に示すように、液晶ディスプレイ又は有機ＥＬディスプレイなどの画面を有する携行可能な大きさの小型コンピュータである。
【００３１】
入力タブレット３の画面は、タッチパネルとなっており、画面の表層が入力操作部になる。そして、起動ボタン３ａを押して起動させた後、本アプリケーションを立ち上げると、メイン画面３１が表示される。
【００３２】
入力タブレット３は、図示していないがフラッシュメモリなどの記憶部を備えており、そこに記憶されたデータなどは、メイン画面３１のアップロードボタン３１２を押すことによって本体部４に転送させることができる。
【００３３】
例えば、入力タブレット３とＰＣ部４１とを、Ｗｉ−Ｆｉなどの無線ＬＡＮや有線で接続された状況にしてアップロードボタン３１２を押すことで、入力タブレット３に記憶されたデータがＰＣ部４１を経て記憶部４２に記憶されることになる。
【００３４】
また反対に、本体部４側に記憶されたデータを、メイン画面３１のダウンロードボタン３１３を押すことによって入力タブレット３に転送させることもできる。このダウンロードボタン３１３は、インターネット経由でデータや更新プログラム等を入力タブレット３に取り込む際にも使用できる。
【００３５】
そして、メイン画面３１の中央の選択アイコン３１１を押すと、図４に示したリング選択画面３２が入力タブレット３の画面に表示される。メイン画面３１以外の画面には、戻りボタン３ｂが表示されており、いつでも一つ上の階層の画面に戻ることができる。
【００３６】
リング選択画面３２では、点検者Ｍがセグメント２１の状態を入力しようとするリング２２Ａ，２２，・・・を特定する。上述したようにリング状覆工部２は、複数のリング２２Ａ，２２，・・・がシールドトンネル１の延伸方向に連続することで構成されている。
【００３７】
リング番号は、シールドトンネル１の掘進管理データに関連付けて記録されているので、シールドトンネル１の縦断距離などから、リング２２Ａ，２２，・・・を特定するリング番号を知ることができる。そこで、点検者Ｍは、セグメント２１Ａ−２１Ｆの状態の入力を行おうとするリング２２Ａのリング番号を、リング選択欄３２１に入力することになる。
【００３８】
入力タブレット３には、予めリング２２Ａ，２２，・・・毎のセグメントタイプが記憶されているので、リング番号が選択されると、自動的にそのリング２２Ａのセグメントタイプが表示される。
【００３９】
また、状態の入力を行う日時も、入力タブレット３の内部時計から自動的に取り込まれて、記録日として表示される。また、ひび割れ等が補修された場合は、その補修を確認した日を入力することもできる。
【００４０】
このように必要事項を入力して実行ボタン３２２を押すと、図５に示したようなセグメント選択画面３３が入力タブレット３の画面に表示される。この画面に表示されるリング及びセグメントの簡略図となる選択アイコン３３１は、実際のリング２２Ａのセグメント２１Ａ−２１Ｆの配置に対応している。
【００４１】
詳細には、選択アイコン３３１の円弧状の各ピースボタン３３１ａ，３３１ｂ，３３１ｃ，３３１ｄ，３３１ｅ，３３１ｆが、それぞれリング２２Ａのセグメント２１Ａ，２１Ｂ，２１Ｃ，２１Ｄ，２１Ｅ，２１Ｆに対応している。
【００４２】
環状のリング２２Ａは、切羽（シールドトンネル１の前面（シールド機１１側））方向に見た場合と、坑口（シールドトンネル１の後面（立坑１２側））方向に見た場合とで、セグメント２１Ａ−２１Ｆの配置が左右反転する。
【００４３】
いずれの方向で見たリング２２Ａを表示させるかは、切替機能を有する切替アイコン３３２で任意に切り替えることができる。図５には、リング２２Ａを切羽方向に見た表示例が示されている。また、リング２２Ａの天端１ａ、下端１ｂ、右端１ｃ、左端１ｄについても、方向が分かる表示がされる。
【００４４】
ここで、セグメント選択画面３３のリング情報アイコン３３３を押すことで、図６に示すようなリング情報画面３４を表示させることができる。リング情報画面３４では、リング２２Ａに入力したい状態があるか否かを情報として入力することができる。
【００４５】
例えば、リング２２Ａのいずれかのセグメント２１Ａ−２１Ｆに入力したい状態がある場合は、割れ欠けの大小や鉄筋露出の有無、クラックや漏水の有無などを、チェック欄３４１にチェックを入れることで入力することができる。
【００４６】
また、自由欄３４３には、状態を任意の文字列データによって書き込むことができる。そして、保存ボタン３４２を押すと、このリング情報画面３４で入力された情報は保存される。
【００４７】
一方、状態を入力したいセグメント２１Ａ−２１Ｆが決まった場合は、図５のセグメント選択画面３３の選択アイコン３３１の対応する位置のピースボタン３３１ａ−３３１ｆ（図５では、ピースボタン３３１ｃが選択された状態が表示されている。）を押すことで、図７に示すスケッチ画面３５を表示させることができる。
【００４８】
スケッチ画面３５は、平面的に表示されるセグメントの向きが特定された入力画面となる。すなわちセグメント選択画面３３で選択されたピースボタン３３１ｃに該当するセグメント２１Ｃの内周面が、実際のセグメント２１Ｃの縦横比が反映された四角形のセグメント表示部３５２となってスケッチ画面３５に表示される。
【００４９】
このセグメント表示部３５２が、リング２２Ａのどの位置のセグメント２１Ｃであるかは、スケッチ画面３５の左上の位置表示部３５１の選択箇所３５１ａの表示で確認することができる。
【００５０】
また、位置表示部３５１の中央の矢印３５１ｂは、セグメント表示部３５２の上下方向を示しており、図７の例示では、セグメント表示部３５２の上側が下端１ｂ側となって表示されている。
【００５１】
この向きは、切替機能を有する矢印３５１ｂのアイコンを押すことで、切り替えることができる。すなわち向きを切り替えると、セグメント表示部３５２の表示の左側が切羽側となり右側が坑口側となって、下端１ｂ側に立つ点検者Ｍがセグメント２１Ｃに正対したときと同じ向きの表示になる。
【００５２】
セグメント表示部３５２の四角形の領域には、点検者Ｍが視覚で得た情報を描画することができる。例えば、割れ欠けの箇所や範囲を描画するときには、入力アイコン３５５Ａを選択してセグメント表示部３５２の該当箇所を入力ペンや指先でなぞれば、割れ欠けの状態が描画される。
【００５３】
また、漏水の箇所や範囲を描画するときには、入力アイコン３５５Ｂを選択してセグメント表示部３５２の該当箇所をなぞれば、漏水している状態が描画される。
【００５４】
さらに、クラックの箇所や範囲を描画するときには、入力アイコン３５５Ｃを選択してセグメント表示部３５２の該当箇所をなぞれば、ひび割れの状態が描画される。
【００５５】
また、鉛筆の入力アイコン３５５Ｄによって、セグメント表示部３５２に状態の表現に適した任意の描画を行うことができる。この鉛筆の色は、入力アイコン３５５Ｅによって変更することができる。
【００５６】
さらに、入力アイコン３５５Ｆを選択することで、様々な太さの線分をセグメント表示部３５２に描画することができる。そして、書き直しなどを行う場合は、消しゴムとなる入力アイコン３５５Ｇを選択して、描画された状態を部分的に消去することができる。また、描画に際しては、ズームアイコン３５３でセグメント表示部３５２を拡大したり縮小したりすることができる。
【００５７】
そして、選択されたセグメント２１Ｃの状態は、入力タブレット３に備えられた撮像部となるカメラ（図示省略）で撮影することができる。すなわち、入力タブレット３のカメラを撮影したい箇所に向けて、スケッチ画面３５の右上の撮影アイコン３５４を押すと、その時点で選択されているセグメント２１Ｃに関連付けて撮影画像が記録される。
【００５８】
このようにして、選択されたセグメント２１Ｃの状態の描画及び撮影が完了した後に、実行ボタン３５６を押して、入力したデータをセグメント２１Ｃに関連付けて入力タブレット３の記憶部に保存させる。
【００５９】
このような入力タブレット３によるセグメントの状態の入力は、点検者Ｍによって、掘削の進捗に合わせて、又は任意のタイミングで行われる。そして、入力タブレット３に記録されたデータは、任意のタイミングで本体部４に転送されて記憶部４２に記憶される。
【００６０】
本体部４の記憶部４２に複数のセグメント２１，・・・のデータが蓄積されると、複数のセグメント２１，・・・の状態を並べてモニタ４３に出力することができるようになる。
【００６１】
図８に、モニタ４３に表示される出力画面５１の一例を示した。出力画面５１には、左側に一覧表表示領域５１１が生成され、中間にセグメント展開領域５２２が生成され、右端に画像出力領域５１３が生成されている。
【００６２】
また、最上段の表示設定欄５１１ａでは、一覧表表示領域５１１に表示させるリングの範囲が指定できるようになっている。例えば、表示設定欄５１１ａの開始に「１」を、終了に「３０」という数字を入れて検索ボタン５１１ｂを押すと、一覧表表示領域５１１にリング番号１−３０の入力データの一覧が表示される。
【００６３】
一覧表表示領域５１１には、各リングにどのような種類の状態データが存在するか、記録日、補修日、入力されたコメントなどが、一目でわかるようにデータ列となって表示される。
【００６４】
そして、一覧表表示領域５１１の例えばリング番号の「５」を選択すると、セグメント展開領域５１２に５番のリングが展開されて表示される。すなわち、リング２２Ａを構成するセグメント２１Ａ−２１Ｆが、一列に並んで連続して表示される。
【００６５】
セグメント展開領域５１２には、天端１ａ、下端１ｂ、右端１ｃ、左端１ｄのシールドトンネル１の周方向における位置が表示されている。また、縦断方向の向きとなる坑口側及び切羽側の表示もされている。
【００６６】
そして、セグメント展開領域５１２には、複数のセグメント２１Ａ−２１Ｆが、位置及び向きを合せて連続して表示される。本体部４の記憶部４２には、リング番号に関連付けられた各リング２２Ａ，２２，・・・の縦断方向の配置位置のデータや、各リング２２Ａ，２２，・・・におけるセグメント２１Ａ−２１Ｆ，２１，・・・のタイプ、形状、周方向における向き及び配置位置などのデータが保存されている。このため、それらのデータを読み込むことで、セグメント２１Ａ−２１Ｆ，２１，・・・を正確な向きと順序で連続して並べることができる。
【００６７】
さらに、連続して表示された６つのセグメント図には、状態データが重ねて表示される。すなわち、入力タブレット３のスケッチ画面３５で、セグメントをどのような向きに表示して状態を描画しても、その向き情報と合せて状態データが記憶されているので、セグメント展開領域５１２には、正確な向きと位置で状態データを表示させることができる。このため、割れ欠け、漏水、クラックなどの箇所や範囲が、セグメント展開領域５１２の表示を見るだけで、位置も含めて容易に把握することができる。
【００６８】
さらに、セグメントに関連付けた撮影画像がある場合は、画像出力領域５１３に、セグメントの位置に合わせて写真マーク５１３ａ，５１３ａが表示され、その横に撮影画像が出力される。このため、スケッチされた状態に加えて、写真によってもセグメントの状態を確認することができる。
【００６９】
また、出力画面５１の表示結果は、印刷ボタン５１４を押すことで、紙に印刷することができる。この印刷は、一覧表表示領域５１１と、セグメント展開領域５１２及び画像出力領域５１３とに分けて行うこともできる。
【００７０】
図９には、モニタ４３に表示される別の出力画面５２を例示した。出力画面５２には、左側に一覧表表示領域５１１が生成され、右側にセグメント展開領域５２２が生成されている。
【００７１】
また、最上段の表示設定欄５２１ａでリングの範囲を指定して検索ボタン５２１ｂを押すと、その検索された範囲のリング番号の状態データのデータ列が一覧表表示領域５２１に表示される。さらに、最下段には、出力画面５２の表示結果を紙に印刷するための印刷ボタン５２４が表示される。
【００７２】
この出力画面５２では、複数のリング２２Ａ，２２，・・・がセグメント展開領域５２２に連続して表示される。そして、表示されたリング２２Ａ，２２，・・・において、状態データがあるセグメント２１Ａ−２Ｆの位置には、重ねて状態データが出力される。
【００７３】
次に、本実施の形態のセグメント管理システムの作用について説明する。
【００７４】
このように構成された本実施の形態のセグメント管理システムは、視覚によって確認されるセグメント２１の状態を入力するための入力タブレット３と、その入力された状態データを複数のセグメント２１，・・・が連続して表示された領域に重ねて出力させる出力手段となるモニタ４３とを備えている。
【００７５】
さらに、入力タブレット３は、図５のセグメント選択画面３３及び図７のスケッチ画面３５に示したように、入力するセグメント２１の位置が視覚による対比によって特定できる表示となっている。
【００７６】
さらに、スケッチ画面３５に平面的に表示されたセグメント表示部３５２は、向きが特定された状態で表示され、表示させる向きは切替機能を有する矢印３５１ｂをタップすることで容易に切り替えることができる。
【００７７】
シールドトンネル１は、延長距離の長い円筒状に構築されるため、点検者Ｍがある位置に設置されたセグメント２１と対峙したときに、その位置や向きを特定するのが難しい。また、周方向や前後方向に連続して並んだセグメント２１，・・・は、それぞれ点検者Ｍが観察しやすい向きが異なっている。
【００７８】
そこで、入力タブレット３が入力画面（３３，３５）に表示されるセグメントの向きを切り替える切替機能（３３２，３５１ｂ）を有していれば、点検者Ｍがセグメント２１に対峙してから、見たままの向きに表示を切り替えられるので、点検者Ｍは方向を気にせずに状態の描画などの入力作業を効率よく行うことができる。
【００７９】
このように、点検者Ｍが見たままのセグメント２１の状態を、スケッチ画面３５のセグメント表示部３５２にそのまま描画していくことができるので入力が容易である。
【００８０】
一方、蓄積された点検結果は、複数のセグメント２１，・・・が並んだシールドトンネル１の内周面と同じ分かり易い状態で、モニタ４３の出力画面５１，５２に表示させることができる。
【００８１】
また、状態の種類を選択して入力タブレット３で描画が行える構成であるため、ひび割れ（クラック）、漏水、割れ欠けなど、様々なセグメントの状態を視覚によって確認したままの広がりや劣化度合いなどに応じて記憶させていくことができる。
【００８２】
さらに、特定されたセグメント２１に関連付けて撮影画像の記録が行える撮像部を入力タブレット３が有していれば、点検時に着目した箇所を撮影しておくだけで、状態データと一緒に管理することができる。
【００８３】
すなわち、入力タブレット３と別のカメラで撮影を行うと、撮影画像の管理も点検者Ｍ自身で行わなければならず、状態を描画した記録と写真を一緒に管理できるかは点検者Ｍの能力に左右されることになるが、状態データと撮影画像とが一緒に自動的に管理できるシステムであれば、安定して管理業務を遂行させることができる。
【００８４】
また、モニタ４３に表示されたセグメントに隣接して撮影画像が出力される構成であれば、セグメント展開領域５１２に表示された状態データの詳細を、隣接する画像出力領域５１３の写真ですぐに確認することができる。すなわち、描画された状態データは、漏水などの位置や範囲を把握するには分かり易い情報であるが、ひび割れの太さや劣化度合いなどは、写真を見る方が状態を正確に把握することができる。
【００８５】
また、セグメント展開領域５１２と画像出力領域５１３とを同時に印刷することで、写真付きの報告書を容易に作成することができる。さらに、このようセグメントの状態や位置が容易に把握できる報告書があれば、漏水処理や割れ欠けなどの不具合の補修などのセグメント２１の管理業務を、効率的かつ正確に実行していくことができる。
【００８６】
以上、図面を参照して、本発明の実施の形態を詳述してきたが、具体的な構成は、この実施の形態に限らず、本発明の要旨を逸脱しない程度の設計的変更は、本発明に含まれる。
【００８７】
例えば、前記実施の形態では、入力タブレット３によって状態データの入力を行い、本体部４に状態データを転送してモニタ４３に出力させる場合について説明したが、これに限定されるものではない。例えば、携帯入力端末に、状態データを入力する機能に加えて、複数のセグメント２１，・・・を連続して表示させるとともに状態データを重ねて表示させる出力手段の機能も持たせることができる。
【符号の説明】
【００８８】
１              シールドトンネル
２              リング状覆工部
２１，２１Ａ−２１Ｆ  セグメント
３              入力タブレット（携帯入力端末）
３３            セグメント選択画面（入力画面）
３３２          切替アイコン（切替機能）
３５            スケッチ画面（入力画面）
３５１          位置表示部
３５１ａ        選択箇所
３５１ｂ        矢印（切替機能）
３５２          セグメント表示部
３５４          撮影アイコン
３５５Ａ−３５５Ｃ  入力アイコン（状態の種類）
４２            記憶部（記憶手段）
４３            モニタ（出力手段）
５１            出力画面
５１２          セグメント展開領域
５１３          画像出力領域
５１３ａ        写真マーク
５２            出力画面
５２２          セグメント展開領域
【図１】
2018009314.tif 000003
【図２】
2018009314.tif 000004
【図３】
2018009314.tif 000005
【図４】
2018009314.tif 000006
【図５】
2018009314.tif 000007
【図６】
2018009314.tif 000008
【図７】
2018009314.tif 000009
【図８】
2018009314.tif 000010
【図９】
2018009314.tif 000011